(57)【特許請求の範囲】
【請求項１】
家具部材に設けられた穴に嵌め込まれるヒンジポットと、前記ヒンジポットに固定されるダンパケーシングとを備えるヒンジであって、
前記ダンパケーシング（９）は、当該ダンパケーシング（９）を前記ヒンジポット（３）に取り付けるための、弾性体として形成されているフック（３２）を備え、工具を使用せずに前記ヒンジポット（３）に組付け可能でありかつ／または前記ヒンジポット（３）に着脱式に固定可能であって、
前記ヒンジポット（３）は前記家具部材に設けられた穴に嵌合固定され、
前記ダンパケーシング（９）は少なくとも部分的に該穴の外部に配置されていることを特徴とするヒンジ。
【請求項２】
請求項１において、ヒンジポット（３）は家具部材に設けられた穴に嵌合固定され、ダンパケーシング（９）は全面的に該穴の外部に配置されていることを特徴とするヒンジ。
【請求項３】
請求項１または２において、ダンパケーシング（９）はプラスチック射出成形され、フック（３２）はケーシング（９）と一体に形成されていることを特徴とするヒンジ。
【請求項４】
請求項１から３までのいずれか１項において、ダンパケーシング（９）内に、ケーシング壁面と連携して制動液を通過させる隙間を形成する少なくとも１個の翼（２２）を有する回転ピストン（１２）が支持されており、回転ピストン（１２）の回転角度は最大で１８０°に制限されていることを特徴とするヒンジ。
【請求項５】
請求項４において、ケーシング（９）は２体式に形成されており、一方のケーシング部材（１３）には回転ピストン（１２）が収容され、他方のケーシング部材（１０）には、スライダ（１４）として形成された回転ピストン（１２）作動部品が収容されていることを特徴とするダンパ。
【請求項６】
請求項４において、回転ピストン（１２）の翼（２２）は板ばね（２４）の形をなす制御弁を備えていることを特徴とするヒンジ。
【請求項７】
請求項１から６までの少なくともいずれか１項において、ヒンジポット（３）は家具扉（７）に接するフランジ（２９）を有し、ダンパケーシング（９）はヒンジポット（３）のフランジ（２９）に固定されていることを特徴とするヒンジ。
【請求項８】
請求項７において、フランジ（２９）はエッジ（３０）を備えており、該エッジはダンパケーシング（９）の固定用フック（３２）が係合する切り欠き（３１）を有することを特徴とするヒンジ。
【請求項９】
請求項７または８において、ヒンジポット（３）はヒンジアーム（４）に関節連結されており、該ヒンジアームは、作動部品用の制御面（２１）が形成された支持案内ピース（１７）を有することを特徴とするヒンジ。
【請求項１０】
請求項９において、支持案内ピース（１７）は、該ピースをヒンジアーム（４）に固定するための少なくとも１本のピン（３３）を有することを特徴とするヒンジ。
【請求項１１】
請求項９において、制御面（２１）は湾曲面を形成していることを特徴とするヒンジ。
【請求項１２】
請求項９において、支持案内ピース（１７）は、ヒンジポット（３）が関節連結されているヒンジアーム（４）の端部に配置されていることを特徴とするヒンジ。
【発明の詳細な説明】
【技術分野】
【０００１】
本発明は、家具部材に設けられた穴に嵌め込まれるヒンジポットと、ヒンジポットに固定されるダンパケーシングとを備えるヒンジに関する。
【背景技術】
【０００２】
家具部材の開閉時に該家具部材を制動するダンパを備えたヒンジは、欧州出願公開第１  １９９  ４３３号［ＥＰ  １  １９９  ４３３  Ａ２］明細書、オーストリア登録実用新案第０５５  ４７７号［ＡＴ  ００５  ４７７  Ｕ１］明細書、ドイツ登録実用新案第２０１  １５  ２５０号［ＤＥ  ２０１  １５  ２５０  Ｕ］明細書および同第２０２  ０５  ９０５号［ＤＥ  ２０２  ０５  ９０５  Ｕ］明細書から公知である。
【発明の開示】
【発明が解決しようとする課題】
【０００３】
本発明の目的は、なおいっそう総合的な使用が可能なダンパを備えるヒンジを創作することである。
【課題を解決するための手段】
【０００４】
本発明の課題は、ダンパケーシングが好ましくは工具を使用せずにヒンジポットに組付け可能でありかつ／またはヒンジポットに着脱式に固定可能であって、ヒンジポットは家具部材に設けられた穴に嵌合固定され、ダンパケーシングは少なくとも部分的に該穴の外部に配置されるように構成することによって解決される。
【０００５】
有利には、ヒンジポットは家具部材に設けられた穴に嵌合固定され、ダンパケーシングは全面的に該穴の外部に配置されるように構成される。
【０００６】
本発明のさらに別の１実施例において、ヒンジポットは家具扉に接するフランジを有し、ダンパケーシングはヒンジポットのフランジに係合掛止されるように構成される。
【発明を実施するための最良の形態】
【０００７】
以下、本発明の１実施例を添付図面の図を参照して説明する。
【０００８】
図示実施例において、ダンパ１はヒンジ２のヒンジポット３に取り付けられている。ヒンジポット３は家具扉７に設けられた穴に嵌め込まれ、連結アーム５を介して、ベースプレート６に取り付けられたヒンジアーム４と連結されている。ベースプレート６は家具本体側壁８に、たとえばネジ止めによって固定されている。
【０００９】
ダンパ１は回転ピストン１２を有した回転ダンパとして形成されている。ダンパは２体式のダンパケーシング９を有している。一方のケーシング部材１０には、ダンパ１の回転ピストン１２が配置されるシリンダチャンバ１１が形成されており、第二のケーシング部材１３には作動部品を形成するスライダ１４が支持される。スライダ１４は、ラックパターン１６が形成されたインサートピース１５を備えている。ラックパターン１６は直接、スライダ１４に形成されていてもよい。インサートピース１５は純製造技術上からする利点を供する。
【００１０】
スライダ１４はケーシング部材１３の窪み１７にスライドし得るようにして支持されており、圧縮ばね２８の作用を受ける。スライダ１４はダンパケーシング９から突き出た端部に、家具扉７が閉じられるとヒンジアーム４に沿って転動する転動体１８を備えている。
【００１１】
回転ピストン１２は軸１９に支持されている。軸１９の他端にはピニオン２０が配置され、該ピニオンは組付け状態においてスライダ１４の窪み２１内に収容されて、インサートピース１５のラックパターン１６と噛合する。
【００１２】
回転ピストン１２の翼２２は、翼２２に設けられた穴２３と板ばね２４とによって形成される制動弁を有している。回転ピストン１２が制動方向に回転させられると、板ばね２４は翼２２に設けられた穴２３を封止することから、制動液は翼２２の先端２５とダンパケーシング９の壁面２６との間の隙間を通って流れ、これによって所望の制動効果が発生する。家具扉７が開けられる場合には回転ピストン２は反対方向に回転させられて、板ばね２４が開いて穴２３が開放されることから、制動液は穴２３も通って流れることができることとなる。その際、圧縮ばね２８はスライダ１４をスライドさせて再び待機ポジションに復帰させる。
【００１３】
ダンパケーシング９ないしケーシング部材１０はカバープレート２７を備えている。
【００１４】
ヒンジポット３はエッジ３０を有するフランジ２９を備えている。エッジ３０には、フランジ２９の互いに対向する両側に切り欠き３１が形成されている。回転ダンパ１のダンパケーシング９は一体射出成形された弾性フック３２を有しており、該フックは回転ダンパ１の組付け時にフランジ２９の下側の切り欠き３１に係合して掛止される。したがって、回転ダンパ１は、ただそれをフランジ２９に押し付けるだけで、工具を使用することなく容易にヒンジポット３に組付けることができる。有利には、弾性フック３２はダンパケーシング９をフランジ２９から取り外すこともできるように形成されている。フランジ２９からのダンパケーシング９の取外しも工具を使用せずに行うことが可能である。
【００１５】
ヒンジアーム４はさまざまな形状であってよく、たとえば湾曲したヒンジアーム４も可能であることから、本発明において、ヒンジアーム４には、作動部品用の（本実施例においては）スライダ１４用の制御面２１が形成された支持案内ピース１７を取り付けることができる。家具扉７が閉じられる場合に、この作動部品はその自由端で制御面２１に当接する。制御面２１はそれぞれの必要に合わされた湾曲面を形成している。制御面２１は両方向に傾斜して凹面状に形成されていても凸面状に形成されていてもよく、あるいはまた直面状、斜面状に形成されていてもよい。これにより、さまざまなタイプのヒンジおよびさまざまな開閉機構における開閉特性に所望の影響を与えることができる。
【００１６】
支持案内ピースはたとえばピン３３を備えており、他方、ヒンジアーム４は穴３４を備えていることから、支持案内ピース１７は必要に応じて容易にヒンジアーム４に取付け可能である。
【図面の簡単な説明】
【００１７】
【図１】ダンパを備えた本発明によるヒンジを、家具本体壁および家具扉の一部と共に示した側面図である。
【図２】ダンパを有する本発明によるヒンジの側面図であり、同図においてヒンジは制動行程開始ポジションにある。
【図３】図２のヒンジの平面図である。
【図４】ダンパを備えた本発明によるヒンジの側面図であり、同図においてヒンジは中央の制動領域に位置している。
【図５】図４のヒンジの平面図である。
【図６】ダンパを備えた本発明によるヒンジの側面図であり、同図においてヒンジは閉ポジションに位置している。
【図７】図６のヒンジの平面図である。
【図８】ヒンジポット上に固定されたダンパを上方から見た立体図である。
【図９】本発明によるダンパとヒンジポットとを分解して示した立体図である。
【図１０】本発明によるダンパとヒンジポットとを分解して示した立体図であり、同図において両者は図８に比較して１８０°反転している。
【図１１】本発明によるダンパを備えたヒンジポットの立体図である。
【図１２】本発明によるダンパの立体図である。
【図１３】本発明によるダンパの分解立体図である。
【図１４】本発明によるダンパの分解立体図であり、同図において各部品は図１３に比較して１８０°反転して示されている。
【図１５】本発明によるダンパのさらに別の立体図である。
【図１６】支持案内ピースを備えたヒンジアームの立体図である。
【図１７】支持案内ピースの取付けに適したヒンジアームの立体図である。
【図１８】支持案内ピースの側面図である。
【図１９】支持案内ピースの側面図である。
【図２０】支持案内ピースの側面図である。
【図２１】家具扉の開ポジションに位置する、支持案内ピースの取り付けられたヒンジの側面図である。
【図２２】家具扉の閉ポジションに位置する、支持案内ピースを備えた本発明によるヒンジの側面図である。
【図１】
0004573052.tif 000002
【図２】
0004573052.tif 000003
【図３】
0004573052.tif 000004
【図４】
0004573052.tif 000005
【図５】
0004573052.tif 000006
【図６】
0004573052.tif 000007
【図７】
0004573052.tif 000008
【図８】
0004573052.tif 000009
【図９】
0004573052.tif 000010
【図１０】
0004573052.tif 000011
【図１１】
0004573052.tif 000012
【図１２】
0004573052.tif 000013
【図１３】
0004573052.tif 000014
【図１４】
0004573052.tif 000015
【図１５】
0004573052.tif 000016
【図１６】
0004573052.tif 000017
【図１７】
0004573052.tif 000018
【図１８】
0004573052.tif 000019
【図１９】
0004573052.tif 000020
【図２０】
0004573052.tif 000021
【図２１】
0004573052.tif 000022
【図２２】
0004573052.tif 000023